(57)【特許請求の範囲】
【請求項１】
手または飲食物等の容器のための保温器であって、
中空ドーナツ状に形成された枠体（１）と、該枠体（１）内に備えたヒータ（２）と、
該ヒータ（２）と接続されて枠体（１）表面にヒータ（２）の熱を伝える伝熱部材（３）とを設け、内側に前記伝熱部材（３）を配置した前記枠体（１）の表面温度が上昇して放熱する放熱面（４）を構成し、
前記ヒータ（２）は前記枠体（１）内の内側面（１ａ）に沿って円周状に配置し、
前記伝熱部材（３）は前記ヒータ（２）と接続しながら前記内側面（１ａ）から上面（１ｃ）と底面（１ｄ）を経て外側面（１ｂ）まで配置し、
前記放熱面（４）は前記内側面（１ａ）が高温部を構成することを特徴とする保温器。
【請求項２】
前記枠体（１）は前記上面（１ｃ）と前記底面（１ｄ）とを平面で構成することを特徴とする請求項１に記載の保温器。
【請求項３】
前記枠体（１）は前記内側面（１ａ）と外側面（１ｂ）の上部と下部を湾曲して、前記上面（１ｃ）及び底面（１ｄ）との連続面を曲面で連続し、
前記内側面（１ａ）側の曲面の曲率半径を前記外側面（１ｂ）側の曲面の曲率半径より小さく設定したことを特徴とする請求項１または２に記載の保温器。
【請求項４】
前記伝熱部材（３）が柔軟性のあるシート状素材で構成されていることを特徴とする請求項１から３のいずれかに記載の保温器。
【請求項５】
前記枠体（１）は上板（１Ａ）と底板（１Ｂ）とによって構成し、
前記上板（１Ａ）には前記ヒータ（２）と第１の伝熱部材（３ａ）を、前記底板（１Ｂ）には第２の伝熱部材（３ｂ）を配置し、
前記上板（１Ａ）の下端部と前記底板（１Ｂ）の上端部とが係合して前記枠体（１）を構成すると共に、前記枠体（１）内では、前記第１の伝熱部材（３ａ）の下端部と第２の伝熱部材（３ｂ）の上端部とが接続部（６）によって接続して前記伝熱部材（３）を構成することを特徴とする請求項１から４のいずれかに記載の保温器。
【請求項６】
前記上板（１Ａ）の下端部が前記底板（１Ｂ）の上端部の内側に係合するように配置して、前記上板（１Ａ）と前記底板（１Ｂ）との係合部（５）を形成し、
前記上板（１Ａ）の下端部と前記底板（１Ｂ）の上端部との間で前記第１の伝熱部材（３ａ）と前記第２の伝熱部材（３ｂ）とが接続する接続部（６）を形成することを特徴とする請求項５に記載の保温器。
【請求項７】
前記接続部（６）は前記枠体（１）の少なくとも内側面（１ａ）側に設けることを特徴とする請求項５または６に記載の保温器。
【請求項８】
前記枠体（１）の外側面（１ｂ）には、電源からの電力供給を受けるための電源入力部（７）を設けると共に、
前記枠体（１）内には前記電源入力部（７）から左右方向に伸びる配線コード（７ａ）を配置し、前記ヒータ（２）は両端が前記配線コード（７ａ）に接続すると共に、前記配線コード（７ａ）との接続位置から前記電源入力部（７）とは反対側の前記内側面（１ａ）に沿って円周状に配置され、
前記ヒータ（２）と前記電源入力部（７）との間に所定の距離（Ｌ）が形成されていることを特徴とする請求項１から７のいずれかに記載の保温器。
【請求項９】
前記枠体（１）内には前記ヒータ（２）と前記電源入力部（７）との間に仕切板（８ａ）を配置し、前記電源入力部（７）の収納室（８）を形成したことを特徴とする請求項８に記載の保温器。
【請求項１０】
前記電源入力部（７）は交流電源もしくはＵＳＢ電源を接続可能となっている請求項８に記載の保温器。
【発明の詳細な説明】
【技術分野】
【０００１】
この発明は、手や飲食物等の容器を温めることができるヒータを内蔵した保温器の構造に関する。
【背景技術】
【０００２】
机上で作業をするときにおいて、作業の合間に飲み物を飲んだり、あるいは、飲み物を飲みながら作業を行なうことがある。飲み物を用意してもすぐに飲み終えるとは限らず、しばらく時間が経過した後に飲むことがある。缶飲料や使い捨て紙コップは温かい飲み物を入れてもすぐに冷めてしまい、しばらく時間が経過した後では飲み物が冷たくなってしまっていることが多いため、缶飲料や紙コップのままでも温かい飲み物を飲むことができるようにしたいという要望がある。
【０００３】
そこで、飲料用の容器を保温するための保温器の提案があり、容器を置くためのベースと、ベースの上に配置されたヒータを内蔵する円周状のケーシングを備えたものであり、飲料用の容器をベースの上に置いたときに、飲料用の容器の側面全体をケーシングで包み込むことで、容器の側面をケーシングに内蔵したヒータによって温めて、容器に入った飲み物を保温するものであり、飲み物を温かいまま飲むことができるようにしている。
【先行技術文献】
【特許文献】
【０００４】
【特許文献１】実開平５−５２６０８号  公報
【発明の概要】
【発明が解決しようとする課題】
【０００５】
上記従来の保温器は、形状が大きく置き場所をとるため、机の上に置いたときに保温器が邪魔になりやすく、置き場所が問題となる。また、飲料用の容器の保温以外の目的で使用したいときがあっても、他の用途に対応した構造になっていないため、使用できないことの方が多く、使用用途が飲料用の容器の保温に限定されてしまい、使い勝手が悪いといった課題もある。
本願発明は、置き場所をとらないコンパクトな枠体形状で、机の上に置いたときにも邪魔にならない構造を実現すると共に、飲料用の容器以外の他の物品や手を温めたいときにも使用でき、使用用途が飲料用の容器の保温に限定されない、多用途に使用できる構造の保温器を提案するものである。
【課題を解決するための手段】
【０００６】
この発明は上記の課題を解決するもので、手または飲食物等の容器のための保温器であって、中空ドーナツ状に形成された枠体１と、該枠体１内に備えたヒータ２と、該ヒータ２と接続されて枠体１表面にヒータ２の熱を伝える伝熱部材３とを設け、内側に前記伝熱部材３を配置した前記枠体１の表面温度が上昇して放熱する放熱面４を構成し、前記ヒータ２は前記枠体１内の内側面１ａに沿って円周状に配置し、前記伝熱部材３は前記ヒータ２と接続しながら前記内側面１ａから上面１ｃと底面１ｄを経て外側面１ｂまで配置し、前記放熱面４は前記内側面１ａが高温部を構成することを特徴とするものである。
【０００７】
また、前記枠体１は前記上面１ｃと前記底面１ｄとを平面で構成することにより、枠体１を机の上に置いたときに安定感が得られ、枠体１の上面１ｃに置かれた物品と放熱面４との接触面積が増えるので、物品を安定して支持できると共に、物品に熱が伝わりやすくなる。
【０００８】
また、前記枠体１は前記内側面１ａと外側面１ｂの上部と下部を湾曲して、前記上面１ｃ及び底面１ｄとの連続面を曲面で連続し、前記内側面１ａ側の曲面の曲率半径を前記外側面１ｂ側の曲面の曲率半径より小さく設定したことにより、枠体１を手で握りやすい形状にすることができた。
【０００９】
また、前記伝熱部材３が柔軟性のあるシート状素材で構成されていることにより、枠体１の内壁面が曲面で構成されていても伝熱部材３を枠体１の形状に合わせて配置でき、ヒータ２の熱が確実に枠体１の表面に伝わるものとなる。
【００１０】
また、前記枠体１は上板１Ａと底板１Ｂとによって構成し、前記上板１Ａには前記ヒータ２と第１の伝熱部材３ａを、前記底板１Ｂには第２の伝熱部材３ｂを配置し、前記上板１Ａの下端部と前記底板１Ｂの上端部とが係合して前記枠体１を構成すると共に、前記枠体１内では、前記第１の伝熱部材３ａの下端部と第２の伝熱部材３ｂの上端部とが接続部６によって接続して前記伝熱部材３を構成することにより、ヒータ２と伝熱部材３ａ・３ｂとが予め配置された状態で、上板１Ａと底板１Ｂの組立作業を行なうことができる。
【００１１】
また、前記上板１Ａの下端部が前記底板１Ｂの上端部の内側に係合するように配置して、前記上板１Ａと前記底板１Ｂとの係合部５を形成し、前記上板１Ａの下端部と前記底板１Ｂの上端部との間で前記第１の伝熱部材３ａと前記第２の伝熱部材３ｂとが接続する接続部６を形成することにより、枠体１の上板１Ａと底板１Ｂを嵌合するときに、第１の伝熱部材３ａと第２の伝熱部材３ｂとが接続することができる。
【００１２】
また、前記接続部６は前記枠体１の少なくとも内側面１ａ側に設けることにより、ヒータ２の熱が底板１Ｂに配置された第２の伝熱部材３ｂにも伝わりやすくなる。
【００１３】
また、前記枠体１の外側面１ｂには、電源からの電力供給を受けるための電源入力部７を設けると共に、前記枠体１内には前記電源入力部７から左右方向に伸びる配線コード７ａを配置し、前記ヒータ２は両端が前記配線コード７ａに接続すると共に、前記配線コード７ａとの接続位置から前記電源入力部７とは反対側の前記内側面１ａに沿って円周状に配置され、前記ヒータ２と前記電源入力部７との間に所定の距離Ｌが形成されていることにより、電源入力部７は低温度を維持でき、安定して動作するものとなる。
【００１４】
また、前記枠体１内には前記ヒータ２と前記電源入力部７との間に仕切板８ａを配置し、前記電源入力部７の収納室８を形成したことにより、枠体１内のヒータ２の熱で温められた空気は仕切板８ａで遮られるので、電源入力部７を低温度に維持できる。
【００１５】
また、前記電源入力部７は交流電源もしくはＵＳＢ電源を接続可能となっていることにより、使用目的や使用場所によって電源を選択して使用することができる。
【発明の効果】
【００１６】
この発明の保温器は、枠体１を中空ドーナツ状に形成し、枠体１内の内側面１ａに沿って円周状にヒータ２を配置し、ヒータ２と接続する伝熱部材３を枠体１内の内側面１ａから上面１ｃと底面１ｄを経て外側面１ｂまで配置して、枠体１の表面に放熱面４を構成したものであり、ヒータ２の熱が伝熱部材３によって拡散し、枠体１の放熱面４の表面温度が上昇するものであり、ヒータ２を配置した枠体１の内側面１ａが最も温度が高くなる。
【００１７】
ドーナツ状に形成した枠体１の中央には穴が開いているから、穴が開いた枠体１の中央部分に飲料用の容器を置くことができ、枠体１が容器の側面を囲むように位置して、枠体１の内側面１ａが容器の側面に接触することで、容器に入った飲み物を保温することができる。この発明の構成では、最も温度の高い内側面１ａが容器の側面に接触し、容器の側面から熱が伝わるので、容器に入った飲み物を効率よく温めることができるものとなり、容器に入った飲み物が冷めにくくなり、飲み物を用意してしばらく時間が経過した後でも温かい飲み物を飲むことができるものとなった。
【００１８】
また、枠体１の表面が放熱面４となるから、置き場所をとらないコンパクトな枠体形状にすることができ、机の上に置いても邪魔にならない形状と大きさを備えた保温器が実現できたものである。
【００１９】
更に、この発明の枠体形状であれば、枠体１の上に手や物品を置いたり、枠体１を手で握ったりすることもでき、飲料用の容器を保温する目的の他に、手や物品を温めたいときにも使用することができるものとなり、使用用途が飲料用の容器の保温に限定されることなく、多用途に利用できる保温器が構成できたものである。
【００２０】
また、枠体１の上面１ｃと底面１ｄを平面で構成することで、枠体１を机の上などに置いたときに安定感が得られると共に、枠体１の上面１ｃに物品を置いたときに、物品が安定するものとなった。更に、枠体１の上に物品を置いたときに、物品と枠体１の放熱面４との接触面積が多くなるので、放熱面４から物品に熱が伝わりやすくなり、枠体１の上に物品を置いたときにも、確実に物品の保温を行うことができる。
【００２１】
また、枠体１の内側面１ａと外側面１ｂの上部と下部を湾曲して、上面１ｃ及び底面１ｄとの連続面を曲面で構成し、内側面１ａの曲率半径を外側面１ｂの曲率半径より小さく設定したものであり、枠体１を手で握ったときに、手の平は外側面１ｂの曲面に沿って丸めやすく、一方、指先は内側面１ａにかけやすい形状となっているから、手で握りやすい枠体構造が実現できると共に、手が枠体１の放熱面４と接触しやすくなって、手を温めやすくなったものである。
【００２２】
また、伝熱部材３を柔軟性のあるシート状素材で構成しているから、枠体１の内壁が曲面で構成されていても、伝熱部材３を枠体１の形状にあわせて変形させながら取り付けることができ、伝熱部材３を枠体１内の所定の位置に正しく配置することができるので、枠体１と伝熱部材３との間に隙間ができにくく、放熱面４の全体に熱が伝わり均一な温度を維持できるものとなった。
【００２３】
また、枠体１は上下に分割して上板１Ａと底板１Ｂとで構成し、上板１Ａにはヒータ２と第１の伝熱部材３ａを配置し、底板１Ｂに第２の伝熱部材３ｂを配置しており、上板１Ａの下端部と底板１Ｂの上端部との間に係合部５を設け、第１の伝熱部材３ａの下端部と第２の伝熱部材３ｂの上端部との間に接続部６を設け、上板１Ａの下端部と底板１Ｂの上端部とを嵌合して係合部５によって係合したときに、第１の伝熱部材３ａと第２の伝熱部材３ｂとが接続する構成とした。このため、ヒータ２と伝熱部材３ａ・３ｂが取り付けられた状態で上板１Ａと底板１Ｂの組立を行なうことができ、枠体１の組立作業を容易に行うことができるものとなった。
【００２４】
また、上板１Ａの下端部が底板１Ｂの上端部の内側に嵌合するように構成し、上板１Ａの下端部の外側と底板１Ｂの上端部の内側との間に第１の伝熱部材３ａと第２の伝熱部材３ｂとが接続する接続部６を配置したから、上板１Ａの下端部と底板１Ｂの上端部を嵌合するときに枠体１の内部構造が見えなくても、第１の伝熱部材３ａと第２の伝熱部材３ｂが確実に接続できるものとなり、容易に組立作業を行なうことができるものとなった。
【００２５】
また、第１の伝熱部材３ａと第２の伝熱部材３ｂとが枠体１の内側面１ａ側で接続するように接続部６を形成しているから、ヒータ２の熱が第２の伝熱部材３ｂに伝わりやすくなり、枠体１の放熱面４の全体の温度を均一に維持しやすくなった。
【００２６】
また、枠体１の外側面１ｂに電源入力部７を設け、枠体１内には電源入力部７から左右方向に伸びる配線コード７ａを配置し、ヒータ２は両端を配線コード７ａに接続して、電源入力部７とは反対側の枠体１内の内側面１ａに沿って配置して、ヒータ２を電源入力部７から距離Ｌをあけた位置に配置している。このため、電源入力部７にはヒータ２の熱が伝わりにくくなり、電源入力部７を低温度に維持できるので、電源入力部７は熱の影響を受けることなく安定して動作するものとなった。
【００２７】
また、枠体１内のヒータ２と電源入力部７との間に仕切板８ａを配置して電源入力部７の収納室８を形成し、ヒータ２の熱で温められた空気が仕切板８ａで遮られて収納室８に向かわないようにできるから、収納室８の電源入力部７を低温度に維持でき、電源入力部７は熱の影響を受けることなく安定して動作するものとなった。
【００２８】
また、電源入力部７は交流電源とＵＳＢ電源への接続が可能となるように設定している。パソコンにはＵＳＢ電源を備えているから、パソコン作業時にはパソコンのＵＳＢ電源に接続すれば、保温器を手元のすぐ近くに置くことができ、手を温めながらパソコンのキーボード操作を行なうことができるものとなる。この構成では、使用目的や使用場所に合わせて接続する電源を選択することができるから、使い勝手が向上できるものとなった。
【符号の説明】
【００２９】
１    枠体
１ａ  内側面
１ｂ  外側面
１ｃ  上面
１ｄ  底面
１Ａ  上板
１Ｂ  底板
２    ヒータ
３    伝熱部材
３ａ  第１の伝熱部材
３ｂ  第２の伝熱部材
４    放熱面
５    係合部
６    接続部
７    電源入力部
７ａ  配線コード
８    収納室
８ａ  仕切板
Ｌ    距離
【図面の簡単な説明】
【００３０】
【図１】この発明の実施例を示す保温器の横断面図である。
【図２】この発明の実施例を示す保温器の縦断面図である。
【図３】この発明の実施例を示す保温器の組立て前の状態を示す要部拡大断面図である。
【図４】この発明の保温器の使用例である容器を保温している状態を示す説明図である。
【図５】この発明の保温器の他の使用例である手を保温している状態を示す説明図である。
【図６】この発明の保温器の他の使用例であり、容器を保温している状態を示す説明図である。
【発明を実施するための形態】
【００３１】
図に示す実施例によってこの発明を説明すると、１は中央に穴があいた中空ドーナツ状に形成した保温器の枠体、１ａは穴が開いた枠体１の中央に形成される内側面、１ｂは枠体１の外周を構成する外側面、１ｃは内側面１ａと外側面１ｂの上部に連続する枠体１の上面、１ｄは内側面１ａと外側面１ｂの下部に連続する枠体１の底面である。
２は枠体１内に配置する可撓性のあるコード状の発熱体で構成したヒータであり、ヒータ２は枠体１内の内側面１ａに沿って円周状に配置されている。３はヒータ２に接続するアルミ箔で構成したシート状の伝熱部材であり、シート状の伝熱部材３の片面は両面テープなどの接着面となっており、ヒータ２を覆うように枠体１内の内壁面に貼り付けられている。
【００３２】
７は枠体１の外側面１ｂに設けた電源入力部、７ａは電源入力部７から枠体１内に伸びる２本の配線コードであり、ヒータ２の両端部が配線コード７ａに接続している。９は枠体１の外側面１ｂに設けた運転スイッチ、１０は電源入力部７に接続する電源コードであり、電源コード１０を介して電源入力部７に電力が供給され、運転スイッチ９によって運転の開始操作をすると電源入力部７からヒータ２への通電が行なわれてヒータ２が発熱し、運転スイッチ９によって運転の停止操作をすると電源入力部７からヒータ２への通電が遮断されてヒータ２の発熱が停止する。
【００３３】
４は枠体１の表面に形成した放熱面であり、実施例では伝熱部材３が枠体１内の内側面１ａでヒータ２と接続して、上面１ｃと底面１ｄから外側面１ｂまで配置されており、伝熱部材３を配置した内側面１ａと外側面１ｂと上面１ｃと底面１ｄが放熱面４となる。ヒータ２が発熱すると、ヒータ２から伝熱部材３に熱が伝わって伝熱部材３の全体に広がり、伝熱部材３の熱が枠体１の放熱面４に伝わって枠体１の表面温度が上昇するので、枠体１の放熱面４に手や物品を触れることで、手や物品を温めることができる。なお、枠体１の内側面１ａはヒータ２からの熱が直接伝わるので最も温度が高くなる。
【００３４】
１１は紙コップや缶飲料などの飲料用の容器であり、机の上などに枠体１を置き、穴の開いた枠体１の中央に飲料用の容器１１を置いて使用することができるようになっている。飲料用の容器１１の側面下部に枠体１の内側面１ａが接触するので、枠体１の内側面１ａから容器１１に熱が伝わり、飲料用の容器１１に入った飲み物を温めることができるものである。
紙コップや缶飲料などの容器１１では、容器の底と床面の間に隙間があいていることがあるが、この発明の保温器を使用すれば、ヒータ２の熱が容器１１の側面から伝わるので、容器１１に入った飲み物を確実に温めることができる。
【００３５】
このため、作業の合間に飲み物を飲んで休息をとったり、飲み物を飲みながら作業を行なったりするときにおいて、飲み物を用意してからしばらく時間が経過した後でも、飲み物が冷たくなっておらず、温かい飲み物を飲むことができるものとなった。
また、飲料用の容器１１の下部の外径寸法と枠体１の穴の内径寸法が一致して、飲料用の容器１１が枠体１にぴったりとはまっているときは、飲料用の容器１１の下部に外径寸法の大きい枠体１が位置するので飲料用の容器１１が安定するものとなり、容器１１の転倒防止の効果を得ることもできるものとなった。
【００３６】
従来は、枠体１の高さ寸法を、容器１１の側面全体を覆う高さに設定しており、容器１１との接触面が増えて保温性能を高くすることができるが、使用用途が容器１１の保温に限定されてしまう。この発明の保温器は、飲料用の容器１１以外の他の物品や手を枠体１の上面１ｃの上に置いたり、枠体１を手で握ったりすることができるようにするため、枠体１の上に物品や手を置いたときにちょうどよい高さとなり、また、手で握りやすい太さとなるように、枠体１の外径寸法を設定している。枠体１の上に載せる物品として、パンやドーナツのような袋に入った食料品があり、袋に入ったパンを枠体１の上面１ｃの上に置くことで温めることができる。また、枠体１の上面１ｃの上に手を置いたり、枠体１を手で握ったりすることで、手指を温めることができるものであり、従来のように飲料用の容器１１だけでなく、多用途に利用できる枠体形状の保温器が実現できたものである。
【００３７】
この発明の保温器は、飲料用の容器１１の保温をするときには、最も温度が高くなる枠体１の内側面１ａが容器１１の側面に接触して、確実にヒータ２の熱を容器１１に伝えることができるから、容器１１の側面全体を覆う構成にしなくても保温性能を大きく低下させることはなく、飲み物を保温することができるものであり、保温器をコンパクトな枠体形状で構成することができるから、机の上に置いても邪魔にならず、取扱性が良いものとなった。
【００３８】
また、この発明の実施例の枠体１は上面１ｃと底面１ｄを平面で構成しており、枠体１を机などの上に置いて使用するときには、枠体１の底面１ｃと机との接地面が増えるから、安定感のある枠体形状とすることができた。一方、枠体１の上面１ｃに物品を載せたときには、物品と上面１ｃとの接触面積が増えるので、上面１ｃの上に載せた物品が安定し、放熱面４から物品に効率よく熱を伝えることができるものとなり、物品を確実に温めることできるものとなった。
【００３９】
容器１１を保温するときにおいて、背の高い容器１１に使用するときは枠体１の位置を高くした方が、飲み物が温まりやすくなる。この発明の保温器は上下に複数個重ねて使用することができ、枠体１の上面１ｃと底面１ｄを平面で構成しているから、枠体１を上下に重ねても安定しており、保温器を重ねた状態で容器１１の保温に使用すれば、サイズの大きい背の高い容器１１でも確実に保温することができる。また、図６のように枠体１の下部に、枠体１と同様に中央に穴を開けたドーナツ状の支持部材を配置してもよく、支持部材の上に保温器を載せて使用することで、枠体１の内側面１ａを容器１１の側面の高い位置で接触させることができ、背の高い容器１１でも温めることができる。
【００４０】
また、枠体１を握ることで手を温めるときは、図５のように手の平を丸めて枠体１の上面１ｃから外側面１ｂに添え、指を曲げて枠体１の内側面１ａにかけた状態となり、手の平と指先とで曲げ角度が異なる。この発明の実施例では、枠体１の内側面１ａと外側面１ｂの上部と下部は上面１ｃ及び底面１ｄに向けて湾曲して、上面１ｃ及び底面１ｄとの連続面を曲面で構成し、手の平があたる外側面１ｂ側の曲面の曲率半径を大きく設定し、指がかかる内側面１ａ側の曲面の曲率半径を小さく設定したものである。このようにすると、枠体１を握るときに、外側面１ｂの曲面に沿って手の平を丸めやすく、一方、内側面１ａの曲面の角度に合わせて指を曲げることで、指が内側面１ａにかかりやすくなる。
このため、枠体１を握ったときに握りやすい形状となり、手の平と指先が枠体１の放熱面４と接触しやすくなり、枠体１の放熱面４との接触面積が増えることで、枠体１を握った手を温めることができるものとなった。
【００４１】
また、この発明では伝熱部材３をアルミ箔のような柔軟性のあるシートで構成しているから、枠体１の内壁面が曲面で形成されていても、伝熱部材３は枠体１の曲面形状に沿って変形しながら貼り付けることができるものである。このため、ドーナツ形状の枠体１でも伝熱部材３の取り付け作業が簡単にできるものであり、枠体１と伝熱部材３との間に大きな隙間を作ることなく伝熱部材３を配置できるから、枠体１の表面温度の低い部分ができてしまうことはなく、枠体１の放熱面４の全体を均一な温度に維持できるものとなる。
【００４２】
図３において、１Ａは枠体１の上板、１Ｂは枠体１の底板であり、枠体１は上下２つに分割されて上板１Ａと底板１Ｂを上下に重ねて組み立てる構成であり、実施例では上板１Ａの下端部が底板１Ｂの上端部の内側に嵌合するように形成されている。５は上板１Ａの下端部と底板１Ｂの上端部との間に設けた係合部であり、実施例の係合部５は上板１Ａに設けたツメ５ａと、底板１Ｂに設けた突起５ｂとで構成されており、上板１Ａの下端部と底板１Ｂの上端部を嵌合したときに、係合部５であるツメ５ａと突起５ｂとが係合して上板１Ａと底板１Ｂが固定されるので、枠体１を構成することができる。
【００４３】
一方、伝熱部材３も上下２つに分割されており、３ａは上板１Ａに取り付ける第１の伝熱部材、３ｂは底板１Ｂに取り付ける第２の伝熱部材であり、上板１Ａにはヒータ２が取り付けられ、そのヒータ２を覆うように第１の伝熱部材３ａが配置され、底板１Ｂには伝熱部材３ｂだけが配置されている。６は第１の伝熱部材３ａの下端部と第２の伝熱部材３ｂの上端部との間に設けた接続部であり、上板１Ａと底板１Ｂを嵌合して組み立てるときに、第１の伝熱部材３ａと第２の伝熱部材３ｂとが接続部６を介して接続し、枠体１内に伝熱部材３を構成することができる。
【００４４】
この構成では、上板１Ａにヒータ２と第１の伝熱部材３ａが配置され、底板１Ｂに第２の伝熱部材３ｂが配置された状態で、枠体１の組立作業を行なうことができるものであり、上板１Ａと底板１Ｂを嵌合して係合部５によって係合するだけで、枠体１を構成することができ、枠体１の組立作業が容易に行なえるものとなった。
また、枠体１内の上板１Ａ側にヒータ２が配置されるから、枠体１はヒータ２が配置された上板１Ａ側の内側面１ａと外側面１ｂと上面１ｃの表面温度が高くなり、第２の伝熱部材３ｂは第１の伝熱部材３ａから接続部６を介して熱が伝わるので、底板１Ｂ側の内側面１ａと外側面１ｂと底面１ｄの表面温度は上板１Ａ側よりも低くなる。
【００４５】
このため、枠体１の中央の穴に飲料用の容器１１を置いたときは、容器１１の側面に表面温度の高い内側面１ａを接触させることができ、枠体１の上に手や物品を置いたときは、手や物品が表面温度の高い上板１Ａ側の内側面１ａ・外側面１ｂ・上面１ｃと接触しやすくなる。また、枠体１を手で握ったときは、手の平と指先が上板１Ａ側と多く接触するので、手で枠体１を握ったときも手を温めやすくなり、容器１１の保温や手を温めるのに最適な構造となった。一方、枠体１の底面１ｄ側の表面温度を低くすることで、枠体１を直接机の上に置いても、熱による設置面の変形や変色の心配がないものとなった。
【００４６】
上記構成において、接続部６は枠体１の内側面１ａ側に配置するとよく、ヒータ２から第２の伝熱部材３ｂまでの距離が短くなるので、ヒータ２の熱が第２の伝熱部材３ｂにも伝わりやすくなる。このため、第１の伝熱部材３ａと第２の伝熱部材３ｂとの間で大きな温度差が生じにくくなり、枠体１の放熱面４の全体の温度を均一に維持できるから、枠体１を手で握ったときに大きな温度差を感じることはなく、快適な使用感が得られるものとなった。
【００４７】
また、伝熱部材３を柔軟性のあるアルミ箔シートで構成しているから、伝熱部材３の形状を簡単に変形することができる。この発明の実施例では、上板１Ａに配置された第１の伝熱部材３ａの下端部を上板１Ａの下端部で折り返して、上板１Ａの下端部の外周面側に配置すると共に、底板１Ｂに配置された第２の伝熱部材３ｂの上端部を底板１Ｂの内側の上端部まで配置している。この構成では、上板１Ａの下端部が底板１Ｂの上端部の内側に嵌合したときに、上板１Ａの下端部の外周面に折り返された第１の伝熱部材３ａの下端部と底板１Ｂの上端部に位置する第２の伝熱部材の上端部とが接触するので、第１の伝熱部材３ａと第２の伝熱部材３ｂとが接続できるものとなる。
【００４８】
枠体１の上板１Ａと底板１Ｂとを係合するときに、枠体１の内部構造が見えにくいため、第１の伝熱部材３ａと第２の伝熱部材３ｂとが接続されたかどうかの確認が難しいが、この発明の構造であれば、上板１Ａの下端部と底板１Ｂの上端部を嵌合するだけで、第１の伝熱部材３ａと第２の伝熱部材３ｂとを確実に接続させることができるので、枠体１を簡単に組立てることができるようになり、組立時の作業効率が向上できるものとなった。
【００４９】
実施例では第１の伝熱部材３ａと第２の伝熱部材３ｂをアルミ箔シートで構成しているから、第１の伝熱部材３ａと第２の伝熱部材３ｂが直接接続する構造としているが、接続部６は第１の伝熱部材３ａの下端部と第２の伝熱部材３ｂとの間に金属製のプレート等を取り付けて構成し、上板１Ａと底板１Ｂとを嵌合したときに金属製プレート同士が接触することによって第１の伝熱部材３ａと第２の伝熱部材３ｂとが接続できるようにしてもよい。
【００５０】
また、この発明の実施例において、ヒータ２と電源入力部７との間隔が所定の距離Ｌとなるように、ヒータ２と電源入力部７とを接続する配線コード７ａの長さを設定している。伝熱部材３の両端部もヒータ２の両端部と同じ位置になるよう配置し、伝熱部材３から電源入力部７までの間も所定の距離Ｌとなるように設定している。ヒータ２と伝熱部材３を電源入力部７との間に距離Ｌをあけて配置することにより、ヒータ２や伝熱部材３の温度が上昇しても電源入力部７には伝わらないようにすることができる。このため、電源入力部７を低温度に維持することができ、電源入力部７がヒータ２の熱の影響を受けにくくなり、電源入力部７の動作が安定すると共に、電源入力部７の故障が発生しにくくなる。
【００５１】
また、８ａは枠体１内のヒータ２と電源入力部７との間に配置した仕切板、８は仕切板８ａによって枠体１内に形成された電源入力部７の収納室であり、収納室８はヒータ２とは区画された空間を形成している。この構成では、ヒータ２の熱によって温められた枠体１内の空気は仕切板８ａで遮られて収納室８に向かわないようにできるから、収納室８の温度上昇が抑えられ、収納室８に配置された電源入力部７を低温度に維持することができるものとなる。このため、電源入力部７がヒータ２の熱の影響を受けにくくなり、電源入力部７の動作が安定すると共に、電源入力部７の故障が発生しにくくなる。
【００５２】
また、実施例の電源入力部７は、交流電源の他にＵＳＢ電源も接続可能となっており、すぐ近くに交流電源のコンセントがないときでも、パソコンなどのＵＳＢ電源に接続することで使用することができる。パソコンのＵＳＢ電源に接続することで、保温器をキーボードのすぐ近くに置いてハンドウォーマーとして使用することができるものである。パソコンのキーボード操作を行なうときに、手がかじかんで指先が冷たくなっているとキーボード操作に支障がでる。このような場合に枠体１の上に手を置いて手指を内側面１ａや上面１ｃに触れることで手指を温めることができ、手指をスムーズに動かせるようになってキーボード操作ができるようになる。
【００５３】
ＵＳＢ電源を使用するときは交流電源よりも電力が低くなり、ヒータ２の最高温度は交流電源に接続するときよりも低くなるので、枠体１の表面温度も低くなる。飲料用の容器１１に入った飲み物の保温を行なうときは、枠体１の表面温度ができるだけ高くするため交流電源を使用すると良いが、パソコン作業時にハンドウォーマーとして使用するときには枠体１の表面温度は低くてもよく、ＵＳＢ電源に接続することで快適な使用感が得られるものである。
このように、交流電源に接続するかＵＳＢ電源に接続するかは、使用する場所や使用目的に合わせて適宜選択すればよく、電源を使い分けることで、使い勝手が向上できるものである。
【図１】
0005742514.tif 000002
【図２】
0005742514.tif 000003
【図３】
0005742514.tif 000004
【図４】
0005742514.tif 000005
【図５】
0005742514.tif 000006
【図６】
0005742514.tif 000007